(57)【要約】【課題】  印刷される画像のノイズを抑制する。【解決手段】  被写体を撮像する撮像手段と、撮像手段によって撮像される画像が印刷機器によって印刷される際のプリントサイズを指定するプリントサイズ指定手段と、プリントサイズ指定手段によって指定されたプリントサイズに応じて、撮像手段によって撮像される画像の感光度を算出する算出手段とを備えて撮像装置を構成した。また、被写体を撮像する撮像手段と、撮像手段によって撮像される画像の感光度を指定する感光度指定手段と、感光度指定手段によって指定された感光度に応じて、撮像手段によって撮像される画像が印刷機器によって印刷される際のプリントサイズを算出する算出手段とを備えて撮像装置を構成した。【選択図】  図３
2011041123.tif 000002
【特許請求の範囲】
【請求項１】
被写体を撮像する撮像手段と、
前記撮像手段によって撮像される画像が印刷機器によって印刷される際のプリントサイズを指定するプリントサイズ指定手段と、
前記プリントサイズ指定手段によって指定されたプリントサイズに応じて、前記撮像手段によって撮像される画像の感光度を算出する算出手段と
を備える撮像装置。
【請求項２】
請求項１に記載の撮像装置において、
前記算出手段は、前記プリントサイズ指定手段によって指定されるプリントサイズが大きくなるに連れて、算出する感光度を下げる
ことを特徴とする撮像装置。
【請求項３】
請求項１または請求項２に記載の撮像装置において、
撮像装置の設定を前記算出手段により算出された感光度に促す警告手段を備える
ことを特徴とする撮像装置。
【請求項４】
請求項１または請求項２に記載の撮像装置において、
前記算出手段により算出された感光度を撮像装置に自動的に設定する設定手段を備える
ことを特徴とする撮像装置。
【請求項５】
被写体を撮像する撮像手段と、
前記撮像手段によって撮像される画像の感光度を指定する感光度指定手段と、
前記感光度指定手段によって指定された感光度に応じて、前記撮像手段によって撮像される画像が印刷機器によって印刷される際のプリントサイズを算出する算出手段と
を備える撮像装置。
【請求項６】
請求項５に記載の撮像装置において、
前記算出手段は、前記感光度指定手段によって指定される感光度が上がるに連れて、算出するプリントサイズを小さくする
ことを特徴とする撮像装置。
【請求項７】
請求項５または請求項６に記載の撮像装置において、
撮像装置の設定を前記算出手段により算出されたプリントサイズに促す警告手段を備える
ことを特徴とする撮像装置。
【請求項８】
請求項５または請求項６に記載の撮像装置において、
前記算出手段により算出されたプリントサイズを撮像装置に自動的に設定する設定手段を備える
ことを特徴とする撮像装置。
【発明の詳細な説明】
【技術分野】
【０００１】
本発明は、撮像装置に関する。
【背景技術】
【０００２】
特許文献１に開示されたデジタルフォトプリンタ等の画像処理装置は、出力画像のプリントサイズに応じて、撮影された画像の一部を切り出すトリミング領域の縦横比であるアスペクト比を自動設定する。
【先行技術文献】
【特許文献】
【０００３】
【特許文献１】特開平１１−１７７８０２号公報
【発明の概要】
【発明が解決しようとする課題】
【０００４】
しかしながら、画像が撮影される際の撮像素子の感度と、撮影画像を印刷機器で印刷する際のプリントサイズとの関係によっては、印刷される画像のノイズが目立ってしまう問題があった。
【課題を解決するための手段】
【０００５】
請求項１に記載の撮像装置は、被写体を撮像する撮像手段と、撮像手段によって撮像される画像が印刷機器によって印刷される際のプリントサイズを指定するプリントサイズ指定手段と、プリントサイズ指定手段によって指定されたプリントサイズに応じて、撮像手段によって撮像される画像の感光度を算出する算出手段とを備えることを特徴とする。
請求項５に記載の撮像装置は、被写体を撮像する撮像手段と、撮像手段によって撮像される画像の感光度を指定する感光度指定手段と、感光度指定手段によって指定された感光度に応じて、撮像手段によって撮像される画像が印刷機器によって印刷される際のプリントサイズを算出する算出手段とを備えることを特徴とする。
【発明の効果】
【０００６】
本発明によれば、印刷される画像のノイズを抑制することができる。
【図面の簡単な説明】
【０００７】
【図１】本発明の一実施の形態によるデジタルカメラの外観を示す背面図である。
【図２】図１に示すデジタルカメラの構成の概略を示すブロック図である。
【図３】図１に示すデジタルカメラのＣＰＵによって行われる撮影処理の概略を示すフローチャートである。
【図４】図１に示すデジタルカメラの光学ファインダで視認される画面およびその印刷画像を示す図である。
【図５】図１に示すデジタルカメラの変形例において、背面モニタに表示されている画面および生成された撮影画像を示す図である。
【発明を実施するための形態】
【０００８】
本発明による撮像装置をデジタルカメラに適用した一実施の形態について説明する。
【０００９】
図１は、この一実施の形態によるデジタルカメラ１の外観を示す背面図である。
【００１０】
カメラ１の本体背面の中央上方には、撮影される被写体が視認される光学ファインダ２が設けられている。光学ファインダ２の上方のペンタ部１Ａには、ストロボ装置などを取り付けるためのアクセサリシュー３が設けられている。また、光学ファインダ２の右方には、シャッタースピードや露出補正値、ＩＳＯ（International Organization for Standardization）感度値などの設定を行うためのコマンドダイヤル４が設けられている。また、光学ファインダ２の下方には、ＴＦＴ（Thin Film Transistor）液晶からなる背面モニタ５が設けられている。
【００１１】
背面モニタ５の右側には、環状に形成された十字ボタン６が設けられており、その中央には決定ボタン７が設けられている。十字ボタン６は、例えば、メニュー画面における種々の設定項目の中から撮影者が所望の項目を選択する際などに操作される。決定ボタン７は、十字ボタン６の操作によって選択された所定の項目を決定する際などに操作される。また、十字ボタン６の下方には、撮影画像データの削除などの際に操作される削除ボタン８が設けられている。
【００１２】
また、背面モニタ５の左側には、上から順に、メニュー画面を背面モニタ５に表示させる際に操作されるメニューボタン９、撮影情報などを背面モニタ５に表示させる際に操作される情報表示ボタン１０、背面モニタ５に表示される撮影画像の縮小表示やサムネイル表示の際に操作される縮小／サムネイルボタン１１、および撮影画像の拡大表示などの際に操作される拡大ボタン１２が設けられている。
【００１３】
図２は、デジタルカメラ１の構成の概略を示すブロック図である。
【００１４】
デジタルカメラ１は、交換レンズユニット４０と本体４１とから構成されている。本体４１の外側には、レリーズボタン４２と、デジタルカメラ１の各種の設定条件および撮影結果の表示をする背面モニタ５とが設けられている。また、デジタルカメラ１は、図示しない電源スイッチを備えている。
【００１５】
交換レンズユニット４０は、本体４１に着脱自在に構成されており、光学系を構成するレンズ４３に加えて絞り４４を備えている。また、この交換レンズユニット４０には、レンズ４３の焦点合わせをすると共に、絞り４４を駆動するレンズ・絞り用駆動モータ４５が設けられており、また、レンズ４３の位置を認識するためのエンコーダ４６が設けられている。また、このレンズ・絞り用駆動モータ４５を駆動制御するためのレンズ・絞り用駆動制御回路４７や、交換レンズユニット４０の焦点距離、開放Ｆナンバー等のレンズ情報が記録された、図示しない記憶回路も設けられている。
【００１６】
本体４１の内部には、各回路の動作を司るＣＰＵ（Central Processing Unit）４８が設けられている。ＣＰＵ４８には、ＣＰＵ４８が種々の制御を行う際に参照される制御プログラムなどが格納された不揮発性メモリ３１が接続されている。被写体光はレンズ４３を通って本体４１内に入射し、クイックリターンミラー４９により反射して焦点板５０に結像する。焦点板５０の上方には、ファインダー表示板５１およびＰＮ（Polymer NetWork）液晶板５２が設けられている。ファインダー表示板５１は、図示しないファインダー表示回路により、焦点板５０に結像した像に撮影情報を重畳する。ＰＮ液晶板５２は、高分子分散液晶からなり、図示しない表示駆動回路により通電されて、非通電部分の透過率が低下して焦点板５０からの被写体光を通さず、通電部分の透過率が高まって透明になり、焦点板５０に結像した像を透過させる。レンズ４３を通ってできる画像は上下左右が逆さまになっているが、被写体光がクイックリターンミラー４９で反射することで、上下が正常な向きになる。クイックリターンミラー４９で反射した被写体光は、焦点板５０、ファインダー表示板５１、およびＰＮ液晶板５２を通過し、さらにペンタプリズム１３で反射させられることで、左右も正常な向きとなり、撮影者は光学ファインダ２を介して被写体像を正位像として見ることができる。
【００１７】
また、ペンタプリズム１３を通過した光の一部はハーフミラー１４によって反射され、測光部１５によって検出される。ＣＰＵ４８は、この測光部１５で検出した被写体光量に基づいて、レンズ・絞り用駆動制御回路４７によってレンズ・絞り用駆動モーター４５を駆動させ、絞り４４の開口量を調節する。これにより、ＣＣＤ（Charge Coupled Devices）やＣＭＯＳ（Complementary Metal Oxide Semiconductor）などからなる撮像素子１８に投影される被写体像の光量が、調節される。また、クイックリターンミラー４９で反射されずにこれを通過した被写体光は、クイックリターンミラー４９のサブミラー４９ａによって反射され、焦点検出装置２１によって検出される。ＣＰＵ４８は、焦点検出装置２１の検出結果に基づき、レンズ４３による被写体光の焦点状態を検出する。そして、検出した被写体光の焦点状態、および、交換レンズユニット４０の記憶回路から送出されてレンズ情報回路２０に記憶されているレンズ情報等に基づいて、レンズ・絞り用駆動制御回路４７によってレンズ・絞り用駆動モーター４５を駆動させ、レンズ４３を移動して、撮像素子１８に投影される被写体像の焦点を合わせる調節を行う。
【００１８】
デジタルカメラ１の撮影者が光学ファインダ２を介して被写体像を見ながら、レリーズボタン４２を押すことにより、ＣＰＵ４８は、これを検出し、シャッター１７の幕を開く。ＣＰＵ４８は、さらに、レンズ４３および絞り４４を通過した被写体光によって撮像素子１８に得られる像を、撮像素子駆動回路１９によって撮像する。撮像素子１８および撮像素子駆動回路１９は、レンズ４３で構成される光学系によって被写体光を集光して被写体を撮像する撮像手段を構成している。撮像素子駆動回路１９によって撮像された被写体像は、ＣＰＵ４８により、撮像信号として画像処理回路２８へ出力される。画像処理回路２８は、入力された撮像信号に対して所定のアナログ信号処理を施した後、デジタル信号に変換し、ホワイトバランス処理やガンマ補正といった所定の画像処理を行う。画像処理回路２８で画像処理された画像データは、ＣＰＵ４８の制御により、画像圧縮部３０によって圧縮されて、ＲＡＭ（Random Access Memory）で構成される画像メモリ２９に一旦記録される。
【００１９】
メニューボタン９を操作することにより背面モニタ５に表示されるメニュー画面から、プリントサイズ指定モードを選択し、表示されるプリントサイズ選択画面から、十字ボタン６および決定ボタン７を用いて、撮影画像のプリントサイズ（例えば、Ａ４版、Ｌ版等）を選択することができる。撮影画像は、ここで設定されたプリントサイズでプリンター等の印刷機器を用いて印刷されることになる。また、ＰＮ液晶板５２は、図示しない表示駆動回路により撮影画像のプリントサイズに応じた部分に通電されることで、焦点板５０に結像した像をプリントサイズに応じたアスペクト比にして透過させる。このため、光学ファインダ２では、ファインダー表示板５１に表示された撮影情報が重畳し、ＰＮ液晶板５２でプリントサイズに応じた大きさにクロップされた被写体像が、視認される。また、メニューボタン９、十字ボタン６および決定ボタン７を操作することにより、メニュー画面において、撮影画像の最適な感光度を自動的に設定するオートＩＳＯ感度設定をオンに設定することができる。また、このオートＩＳＯ感度設定をオフにした場合には、メニュー画面において、または、コマンドダイヤル４の操作によって手動で、ＩＳＯ感度を所定値に設定（例えば、４００、１６００等）することができる。メニューボタン９、十字ボタン６および決定ボタン７は、撮像手段によって撮像される画像が印刷機器によって印刷される際のプリントサイズを指定するプリントサイズ指定手段を構成する。また、ＣＰＵ４８は、プリントサイズ指定手段によって指定されたプリントサイズに応じて、撮像手段によって撮像される画像の感光度であるＩＳＯ感度を算出する算出手段を構成する。本実施形態では、ＣＰＵ４８は、プリントサイズ指定手段によって指定されるプリントサイズが大きくなるに連れて、算出するＩＳＯ感度を下げる。
【００２０】
画像メモリ２９に記録された画像データは、画像表示回路２７によって背面モニタ５に表示されると共に、カードインターフェイス２５の制御の下、記憶媒体を構成する不揮発性メモリからなるメモリーカード２６に格納される。カードインターフェイス２５は、ＣＰＵ４８によって制御され、メモリーカード２６に対する画像データの書き込みおよび読み出しの制御を行う。また、本体４１の前面に集音部が向けられてマイク２４が設けられており、マイク２４には、ＣＰＵ４８によって制御される音声処理回路２３が接続されている。
【００２１】
図３は、デジタルカメラ１のＣＰＵ４８によって行われる撮影処理の概略を示すフローチャートである。
【００２２】
ＣＰＵ４８は、ステップ（以下、Ｓと記す）１において、メニュー画面などにおいて、プリントサイズ指定モードが選択されたか否かを判別する。プリントサイズ指定モードが選択されず、Ｓ１の判別が“ＮＯ”の場合、Ｓ２で、レリーズボタン４２が押されることにより、Ｓ３で、ＣＰＵ４８は、レンズ・絞り用駆動モーター４５によってレンズ４３を駆動して焦点合わせを行い、Ｓ４で、シャッター１７を開いて撮像素子１８に被写体光を入射させて、被写体の撮影を行う。次に、ＣＰＵ４８は、Ｓ５において、撮影が続けられているか否かを判別する。撮影が継続される場合、Ｓ５の判別が“ＹＥＳ”になり、Ｓ２の処理に戻る。一方、電源スイッチがオフされるなどして撮影が続けられない場合、Ｓ５の判別が“ＮＯ”になって、撮影が終了する。
【００２３】
また、プリントサイズ指定モードが選択され、Ｓ１の判別が“ＹＥＳ”の場合、ＣＰＵ４８は、Ｓ６において、撮影者のプリントサイズの指定に応じてデジタルカメラ１にプリントサイズを設定する。プリントサイズを設定した後、ＣＰＵ４８は、Ｓ７において、指定されたプリントサイズに応じてＩＳＯ感度の上限値を決定する。例えば、プリントサイズとして大きめのＡ４版が指定された場合、ノイズ感を抑えるため、ＩＳＯ感度の上限値を低めの例えば４００と算出し、また、プリントサイズとして小さめのＬ版が指定された場合、ＩＳＯ感度の上限値を高めの例えば１６００と算出して決定する。この際、ＣＰＵ４８は、プリントサイズとＩＳＯ感度との相関関係を規定する不揮発性メモリ３１に記憶されたデータテーブルを参照して、ＩＳＯ感度の上限値を算出する。
【００２４】
次に、ＣＰＵ４８は、Ｓ８において、オートＩＳＯ感度設定がオンになっているか否かを判別する。なお、Ｓ１でプリントサイズ指定モードが選択された場合、自動的に、オートＩＳＯ感度設定をオンにする構成としてもよい。オートＩＳＯ感度設定がオンになっておらず、Ｓ８の判別が“ＮＯ”の場合、ＣＰＵ４８は、Ｓ９において、設定されているプリントサイズで綺麗に取れるＩＳＯ感度の上限値を設定するように、撮影者に指示する。つまり、Ｓ７の処理で決定した上限値内でＩＳＯ感度をデジタルカメラ１に対して設定するように、撮影者に促す。例えば「ＩＳＯ感度を４００以下にした方がよい」との撮影情報をファインダー表示板５１に表示し、光学ファインダ２で撮影者に視認させて、指示する。なお、現在デジタルカメラ１に設定されているＩＳＯ感度と共に、「今のままでは印刷画像にざらつきが生じます」などの警告表示を、光学ファインダ２で視認させる構成であってもよい。光学ファインダ２、ファインダー表示板５１、およびＣＰＵ４８は、デジタルカメラ１の設定を算出手段により算出されたＩＳＯ感度に促す警告手段を構成する。また、オートＩＳＯ感度設定になっており、Ｓ８の判別が“ＹＥＳ”の場合、ＣＰＵ４８は、Ｓ１０において、上述したＳ７で決定したＩＳＯ感度の上限値内で、プリントサイズに加えて、シャッタースピード、絞りなどによって決まる露光値から最適なＩＳＯ感度を決定し、デジタルカメラ１に対して設定を行う。ＣＰＵ４８は、算出手段により算出されたＩＳＯ感度をデジタルカメラ１に自動的に設定する設定手段を構成する。
【００２５】
Ｓ９またはＳ１０の処理の後、ＣＰＵ４８は、Ｓ１１において、ファインダー表示板５１により、光学ファインダ２にプリントサイズ指定モードであることを表示する。同時に、ＰＮ液晶板５２により、光学ファインダ２にプリントサイズに応じたアスペクト比で被写体像を表示する。
【００２６】
次に、ＣＰＵ４８は、Ｓ２〜Ｓ５で上述した撮影処理を行う。この撮影処理で、ＣＰＵ４８は、Ｓ６でプリントサイズが指定されている場合には、指定されたプリントサイズに対応するアスペクト比の撮影画像を生成し、メモリーカード２６に保存する。この際、保存する撮影画像のファイル名にプリントサイズを含ませる構成とすることができる。例えば、Ｌ版のプリントサイズで撮影した画像のファイル名は「DSC_0001-L.jpg」、Ａ４版のプリントサイズで撮影した画像のファイル名は「DSC_0001-A4.jpg」などとする。また、プリントサイズごとにフォルダ（例えば、Ａ４版フォルダ、Ｌ版フォルダ）を作成し、このフォルダに画像を保存する構成とすることもできる。これらの構成によれば、撮影画像のプリントサイズを直ちに知ることができる。
【００２７】
図４（ａ）、（ｂ）、（ｃ）は、光学ファインダ２で視認される画面を示す図である。
【００２８】
同図（ａ）に示すように光学ファインダ２に表示されていた画面は、上記のＳ１１の処理により、同図（ｂ）、（ｃ）に示すようにプリントサイズのアスペクト比に応じてクロップされて表示される。同図（ｂ）は、Ａ４版のプリントサイズがＳ６で指定された場合の画面、同図（ｃ）は、Ｌ版のプリントサイズがＳ６で指定された場合の画面である。これらの画面では、指定されたプリントサイズのアスペクト比で、光学ファインダ２の縦方向長さを基準に横方向長さが縮小されて表示される。縮小されてプリントサイズから外れる画面の両端部分６１は、ＰＮ液晶板５２の対応する両端部が非通電とされることにより、レンズ４３からの入射光が遮光されて黒く表示される。また、同図（ｂ）に示すようにプリントサイズが比較的大きいＡ４版の場合、ＩＳＯ感度の上限値はＳ７の処理で低めの例えば４００と算出され、同図（ｃ）に示すようにプリントサイズが比較的小さいＬ版の場合、ＩＳＯ感度の上限値はＳ７の処理で高めの例えば１６００と算出される。この結果、プリントサイズがＡ４版の場合、同図（ｄ）に示す印刷画像６２のように、画像のサイズが比較的大きく、ＩＳＯ感度が小さくてノイズが目立たないように印刷される。また、プリントサイズがＬ版の場合、同図（ｅ）に示す印刷画像６３のように、画像のサイズが比較的小さく、ＩＳＯ感度が大きくても綺麗に印刷される。
【００２９】
このような本実施形態によるデジタルカメラ１によれば、プリントサイズ指定手段によって図３、Ｓ６で指定されたプリントサイズに応じて、撮像手段によって撮像される画像のＩＳＯ感度の上限値がＳ７で算出手段によって算出される。このため、例えば、指定されたプリントサイズが大きい場合には、その大きなプリントサイズに応じた最適なＩＳＯ感度が算出されるため、撮影画像のＩＳＯ感度を高く設定し過ぎることがなくなる。この結果、印刷される撮影画像に生じるざらつきによるノイズ感が抑えられ、失敗の少ない撮影を行うことができて、高品位の画像が印刷される。
【００３０】
また、本実施形態によるデジタルカメラ１によれば、指定されるプリントサイズが大きい場合には、算出される撮影画像のＩＳＯ感度の上限値がＳ７の処理で下げられることで、印刷画像のノイズ感が抑えられる。一方、指定されるプリントサイズが小さい場合には、算出される撮影画像のＩＳＯ感度が下げられることがないので、撮影状況に応じて撮影画像のＩＳＯ感度を高く設定することができる。この結果、指定されるプリントサイズが小さい場合には、さらに失敗の少ない撮影を行うことができる。
【００３１】
また、本実施形態によるデジタルカメラ１によれば、Ｓ９で、警告手段により、デジタルカメラ１の設定を算出手段により算出されたＩＳＯ感度にするように、促される。このため、撮影者は、警告手段の警告により、プリントサイズ指定手段によって指定したプリントサイズに応じた最適なＩＳＯ感度に設定して、失敗することなく撮影することができる。
【００３２】
また、本実施形態によるデジタルカメラ１によれば、Ｓ１０において、算出手段により算出されたＩＳＯ感度が設定手段によってデジタルカメラ１に自動的に設定される。このため、撮影者は、プリントサイズに応じて最適なＩＳＯ感度をデジタルカメラ１に設定する操作に煩わされることなく、撮影を行うことができる。
【００３３】
なお、本実施形態では、プリントサイズ指定手段によって指定されたプリントサイズに応じて、撮像手段によって撮像される画像の感光度を算出する構成であったが、撮像手段によって撮像される画像のＩＳＯ感度を指定する感光度指定手段をコマンドダイヤル４などで構成し、感光度指定手段によって指定されたＩＳＯ感度に応じて、撮像手段によって撮像される画像が印刷機器によって印刷される際のプリントサイズを算出する算出手段をＣＰＵ４８が構成するようにしてもよい。この構成によれば、感光度指定手段によって指定されたＩＳＯ感度に応じて、撮像手段によって撮像される画像のプリントサイズが算出手段によって算出される。このため、例えば、指定されたＩＳＯ感度が大きい場合には、その大きなＩＳＯ感度に応じた最適なプリントサイズが算出されるため、撮影画像のプリントサイズを大きく設定し過ぎることがなくなる。この結果、本構成によっても、印刷される撮影画像に生じるざらつきによるノイズ感が抑えられ、失敗の少ない撮影を行うことができて、高品位の画像が印刷される。
【００３４】
また、上記の構成において、ＣＰＵ４８は、感光度指定手段によって指定されるＩＳＯ感度が上がるに連れて、算出するプリントサイズを小さくするように構成してもよい。この構成によれば、指定されるＩＳＯ感度が大きい場合には、算出される撮影画像のプリントサイズが小さくされることで、印刷画像のノイズ感が抑えられる。一方、指定されるＩＳＯ感度が小さい場合には、算出される撮影画像のプリントサイズが小さくされることがないので、撮影画像に応じてプリントサイズを大きく設定することができる。この結果、指定されるＩＳＯ感度が小さい場合には、所望の大きさで撮影画像の印刷を行うことができる。
【００３５】
また、上記の構成において、デジタルカメラ１の設定を算出手段により算出されたプリントサイズに促す警告手段を、光学ファインダ２、ファインダー表示板５１、およびＣＰＵ４８などで構成するものであってもよい。この構成によれば、警告手段により、デジタルカメラ１の設定を算出手段により算出されたプリントサイズにするように、促される。このため、撮影者は、警告手段の警告により、感光度指定手段によって指定したＩＳＯ感度に応じた最適なプリントサイズに設定して、失敗することなく撮影することができる。
【００３６】
また、上記の構成において、算出手段により算出されたプリントサイズをデジタルカメラ１に自動的に設定する設定手段をＣＰＵ４８が構成するものであってもよい。この構成によれば、算出手段により算出されたプリントサイズが設定手段によってデジタルカメラ１に自動的に設定される。このため、撮影者は、ＩＳＯ感度に応じて最適なプリントサイズをデジタルカメラ１に設定する操作に煩わされることなく、撮影を行うことができる。
【００３７】
また、本実施形態では、光学ファインダ２で視認される画像が、図４（ｂ）、（ｃ）に示すように、指定されたプリントサイズのアスペクト比で表示され、プリントサイズから外れた部分が黒く表示されていた。しかし、ライブビュー撮影を行う場合に、背面モニタ５に構図を取るために表示されるスルー画像が、図４（ｂ）、（ｃ）に示すように、指定されたプリントサイズのアスペクト比で表示され、プリントサイズから外れた部分が黒く表示される構成であってもよい。
【００３８】
図５は、背面モニタ５にプリントサイズを表示する別の例において、背面モニタ５に表示されている画面を示す図である。
【００３９】
同図（ａ）では、図３、Ｓ６で指定されたプリントサイズに応じた枠７１が背面モニタ５に表示されている。この状態で、Ｓ２でレリーズボタン４２が押されると、枠７１の大きさに応じたＩＳＯ感度で撮影が行われる。この撮影では、枠７１の中の被写体７０がトリミングされて、同図（ｂ）に示す撮影画像７２が生成され、メモリーカード２６等に保存される。この際、トリミングされて、例えば、枠７１の大きさが拡大された場合、生成される画像のノイズが目立ってしまわないように、ＣＰＵ４８は、ＩＳＯ感度の上限値を下げる。
【００４０】
上述した実施形態および変形例では、本発明の撮像装置をデジタルカメラに適用した場合について説明したが、ビデオカメラや、携帯電話機等に内蔵されるカメラ等のその他の撮像装置にも適用することが可能である。このような撮像装置に本発明を適用した場合においても、上記実施形態と同様な作用効果が奏される。
【符号の説明】
【００４１】
１…デジタルカメラ
２…光学ファインダ
５…背面モニタ
６…十字ボタン
７…決定ボタン
８…削除ボタン
９…メニューボタン
１０…情報表示ボタン
１１…縮小／サムネイルボタン
１２…拡大ボタン
１８…撮像素子
１９…撮像素子駆動回路
４８…ＣＰＵ
５０…焦点板
５１…ファインダー表示板
５２…ＰＮ液晶板
【図１】
2011041123.tif 000003
【図２】
2011041123.tif 000004
【図３】
2011041123.tif 000005
【図４】
2011041123.tif 000006
【図５】
2011041123.tif 000007